(57)【要約】【課題】袋の視認性が良好な袋収容ケースを提供すること。【解決手段】袋収容ケースは、一対の第１壁部と、一対の第２壁部と、第３壁部と、を備える。一対の第１壁部は、積層された複数の袋を収容可能な高さ方向で対向する。一対の第２壁部は、前記袋の幅よりも広い間隔で対向する。第３壁部は、前記一対の第１壁部の対向方向に対して傾斜する第１傾斜部、前記一対の第１壁部の対向方向に対して傾斜するとともに、前記第１傾斜部と異なる方向に傾斜する第２傾斜部及び前記袋を取り出す取り出し口を有する。【選択図】      図３
2020202948.tif 000002
【特許請求の範囲】
【請求項１】
積層された複数の袋を収容可能な高さ方向で対向する一対の第１壁部と、
前記袋の幅よりも広い間隔で対向する一対の第２壁部と、
前記一対の第１壁部の対向方向に対して傾斜する第１傾斜部、前記一対の第１壁部の対向方向に対して傾斜するとともに、前記第１傾斜部と異なる方向に傾斜する第２傾斜部、及び、前記袋を取り出す取り出し口を有する第３壁部と、
を備える袋収容ケース。
【請求項２】
前記第１傾斜部及び前記第２傾斜部は、前記一対の第１壁部側から前記一対の第１壁部の対向方向で中央側に向かって、前記第１壁部から離間する方向へ傾斜する請求項１に記載の袋収容ケース。
【請求項３】
前記取り出し口は、前記第１傾斜部に設けられ、
前記第１傾斜部は、前記第２傾斜部の上方に配置される、請求項２に記載の袋収容ケース。
【請求項４】
前記一対の第１壁部の対向方向における一方の前記傾斜部の幅が、前記一対の第１壁部の対向方向における他方の前記傾斜部の幅以上に設定され、
前記一対の第１壁部の対向方向に対する前記第２傾斜部の傾斜角度は、前記一対の第１壁部の対向方向に対する前記第１傾斜部の傾斜角度以上に設定される、請求項３に記載の袋収容ケース。
【請求項５】
前記袋は、前記第２壁部に対して傾斜して配置され、
前記一対の第１壁部の対向方向に対する前記第１傾斜部の傾斜角度は、前記第２壁部に対する前記袋の傾斜角度以上に設定される、請求項４に記載の袋収容ケース。
【発明の詳細な説明】
【技術分野】
【０００１】
本発明の実施形態は、袋収容ケースに関する。
【背景技術】
【０００２】
顧客自身で会計処理を行う装置として、セルフチェックアウト装置や会計装置が知られている。例えば、セルフチェックアウト装置は、顧客自身で商品の情報を読み込ませて会計を行うための装置である。また、例えば、会計装置は、顧客自身が会計のみを行うための装置である。
【０００３】
このような装置を用いて会計処理を行った商品は、顧客が袋に商品を詰めて持ち帰る。このような袋は、所謂レジ袋と呼ばれ、例えば、案内担当の店員が顧客に手渡す運用が取られている。また、昨今においては、顧客自身が袋を取る運用とし、装置周辺に袋を吊り下げることも行われている。
【０００４】
また、衛生面を考慮して、サッカ台等の引き出し棚に積層した複数の袋を収容する技術や、積層した複数の袋を折り曲げてホルダに収容する技術も知られている。このような引き出し棚やホルダに袋を収容する場合、袋のサイズや残量等が分かるよう、袋が視認可能なことが求められる。
【先行技術文献】
【特許文献】
【０００５】
【特許文献１】特開２０１０−３５７６７号公報
【発明の概要】
【発明が解決しようとする課題】
【０００６】
本発明が解決しようとする課題は、袋の視認性が良好な袋収容ケースを提供することである。
【課題を解決するための手段】
【０００７】
袋収容ケースは、一対の第１壁部と、一対の第２壁部と、第３壁部と、を備える。一対の第１壁部は、積層された複数の袋を収容可能な高さ方向で対向する。一対の第２壁部は、前記袋の幅よりも広い間隔で対向する。第３壁部は、前記一対の第１壁部の対向方向に対して傾斜する第１傾斜部、前記一対の第１壁部の対向方向に対して傾斜するとともに、前記第１傾斜部と異なる方向に傾斜する第２傾斜部及び前記袋を取り出す取り出し口を有する。
【図面の簡単な説明】
【０００８】
【図１】第１の実施形態に係る袋収容ケースの構成を示す斜視図。
【図２】同袋収容ケースの構成を示す斜視図。
【図３】同袋収容ケースの構成を示す断面図。
【図４】同袋収容ケースを積層して用いる例を示す斜視図。
【図５】同袋収容ケースを積層して用いる例を示す断面図。
【図６】他の実施形態に係る袋収容ケースの構成を示す斜視図。
【図７】同袋収容ケースの構成を示す断面図。
【図８】同袋ケースを積層して用いる例を示す断面図。
【発明を実施するための形態】
【０００９】
以下、第１の実施形態に係る袋収容ケース１について、図１乃至図５を用いて説明する。  
図１は、第１の実施形態に係る袋収容ケース１の構成を正面側から示す斜視図、図２は、袋収容ケース１の構成を背面側から示す斜視図、図３は袋収容ケース１の構成を示す断面図である。また、図４は、袋収容ケース１を積層して用いる例を示す斜視図、図５は、袋積層した袋収容ケース１の構成を示す断面図である。なお、各図において、説明の便宜上、各構成の形状を簡略若しくは省略し、又は、寸法を拡大若しくは縮小して示す。
【００１０】
図１乃至図３に示すように、袋収容ケース１は、筐体１１と、保持具１２と、を備えている。袋収容ケース１は、保持具１２により積層された複数の袋１００を保持した状態で、筐体１１内に複数の袋１００を取り出し可能に収容する。図４及び図５に示すように、袋収容ケース１は、例えば、積層可能に形成される。
【００１１】
本実施形態において、袋１００は、所謂レジ袋である。袋１００は、本体部分１１１と、一対の持ち手１１２と、吊り下げ部１１３と、を備える。本体部分１１１は、一端が閉塞し、他端が開口する。本体部分１１１の閉塞する一端は、袋１００の底を形成する。なお、袋１００の底を構成する一端縁の延設方向を袋１００の幅方向として、以下説明する。
【００１２】
一対の持ち手１１２は、本体部分１１１の開口側の端部に一体に形成される。吊り下げ部１１３は、本体部分１１１の開口する一端であって、且つ、一対の持ち手１１２間に設けられる。吊り下げ部１１３は、例えば、孔１１３ａが形成される。
【００１３】
吊り下げ部１１３は、本体部分１１１から切り離し可能に、本体部分１１１に一体に設けられる。具体例として、本体部分１１１及び吊り下げ部１１３の境界には、本体部分１１１から吊り下げ部１１３を切り離すためのミシン目等が形成される。
【００１４】
このような袋１００は、例えば、図３に示すように、複数枚積層され、本体部分１１１で二つ折りされ、そして折り返し部１５０が保持具１２の後述する軸５１に保持され、そして、筐体１１内に収容される。
【００１５】
図１乃至図３に示すように、筐体１１は、一対の第１壁部２１と、一対の第２壁部２２と、第３壁部２３と、を備える。筐体１１は、例えば、一対の第１壁部２１、一対の第２壁部２２及び第３壁部２３により、一面が開口する矩形箱状に形成される。
【００１６】
一対の第１壁部２１は、例えば、二つ折りされた複数の袋１００を配置な間隔で対向する。即ち、一対の第１壁部２１は、二つ折りされた複数の袋１００を収容可能に対向する。より具体的には、二つ折りされた複数の袋１００を保持する保持具１２を配置可能な間隔で離間して対向する。
【００１７】
一対の第１壁部２１は、積層された複数の袋１００の積層方向で袋１００と対向する。換言すると、一対の第１壁部２１は、袋１００の本体部分１１１の主面と対向する。例えば、袋収容ケース１は、一対の第１壁部２１の一方が下方となるように設置面に載置される。これにより一対の第１壁部２１は、高さ方向で対向し、それぞれ袋収容ケース１の底壁及び天壁を構成する。
【００１８】
一対の第２壁部２２は、一対の第１壁部２１と連続する。一対の第２壁部２２は、収容された袋１００の幅方向で対向する。一対の第２壁部２２は、積層された複数の袋１００を配置可能に、袋１００の幅よりも広い間隔で離間して対向する。例えば、一対の第１壁部２１は、袋収容ケース１の側壁を構成する。
【００１９】
第３壁部２３は、その一部に取り出し口３１を有する。第３壁部２３は、一対の第１壁部２１及び一対の第２壁部２２と連続する。第３壁部２３は、一対の第１壁部２１の対向方向に対して傾斜する第１傾斜部３２と、一対の第１壁部２１の対向方向に対して傾斜するとともに、第１傾斜部３２の傾斜方向と異なる傾斜方向に傾斜する第２傾斜部３３と、を備える。以下、「一対の第１壁部２１の対向方向」を「第１方向」として説明する。なお、一対の第１壁部２１が底壁及び天壁を構成する場合には、第１方向は上下方向となる。
【００２０】
具体例として、取り出し口３１は、第１傾斜部３２に設けられる。取り出し口３１は、筐体１１に収容された積層された複数の袋１００と対向する。
【００２１】
取り出し口３１は、一対の第２壁部２２の対向方向に沿って延びる。以下、「一対の第２壁部２２の対向方向」を「第２方向」として説明する。なお、一対の第１壁部２１が底壁及び天壁を構成する場合には、第２方向は左右方向となる。取り出し口３１の長手方向の幅は、袋１００の幅よりも小さく設定される。また、取り出し口３１は、中央側が両端側よりも第１方向で大きく設定される。即ち、取り出し口３１は、第１方向において中央側が広く、そして両端側が狭い。即ち、取り出し口３１の短手方向の幅は、中央側と両端側で異なり、中央側の幅が両端側の幅よりも大きく設定される。また、取り出し口３１は、中央側の第１方向の幅が一定に設定されるとともに、両端側の第１方向の幅が一定に設定される。また、取り出し口３１は、角部が曲面状に形成される。
【００２２】
図４に示すように、取り出し口３１は、袋１００の幅によって、第２方向の長さ、即ち長手方向の長さが設定される。具体例として、図１及び図４に示すように、取り出し口３１は、中央側に設けられた第１開口３１ａと、第１開口３１ａの第２方向で両端であって、且つ、第１方向で中央に連続する第２開口３１ｂと、により構成される。
【００２３】
例えば、第２方向の第１開口３１ａの幅は、袋１００の幅に関わらず、一定に形成される。
【００２４】
第２方向の第２開口３１ｂの幅は、袋１００の幅よりも小さい幅であって、且つ、袋１００の幅に基づいて適宜設定される。
【００２５】
第１傾斜部３２は、天壁を構成する第１壁部２１及び第２傾斜部３３と、第１方向で連続する。第２傾斜部３３は、底壁を構成する第１壁部２１及び第１傾斜部３２と、第１方向で連続する。即ち、第１傾斜部３２は、例えば、第２傾斜部３３よりも上方に位置する。
【００２６】
第１傾斜部３２及び第２傾斜部３３は、例えば、一対の第１壁部２１側から第１方向で中央側に向かって、第１壁部２１から離間する方向へ傾斜する。換言すると、第１傾斜部３２及び第２傾斜部３３は、第１方向の中央側で連続し、第１傾斜部３２及び第２傾斜部３３の連続する部位が筐体１１外方へ突出する。換言すると、第３壁部２３は、一対の第１壁部２１のそれぞれと、第１傾斜部３２及び第２傾斜部３３によって面取りされた形状に形成される。
【００２７】
なお、このような筐体１１は、例えば、一対の第１壁部２１及び一対の第２壁部２２が矩形筒状に一体成形されており、一対の第１壁部２１及び一対の第２壁部２２により構成される開口の一方を、第３壁部２３を形成するパネルにより覆うことで形成される。また、筐体１１は、第３壁部２３側が正面側を構成し、第３壁部２３と反対側の開口が背面側を構成する。
【００２８】
なお、筐体１１は、直方体状のフレームに、一対の第１壁部２１、一対の第２壁部２２及び第３壁部２３をそれぞれ形成するパネルを組み付けることで構成されていてもよい。また、筐体１１は、一対の第１壁部２１、一対の第２壁部２２及び第３壁部２３を一体成形することで形成してもよい。
【００２９】
図１乃至図３に示すように、保持具１２は、例えば、トレイ部４１と、保持部４２と、案内部４３と、を備えている。トレイ部４１は、例えば、一対の第１壁部２１及び一対の第２壁部２２と当接する矩形筒状に形成される。例えば、トレイ部４１は、上壁を構成する第１壁部２１と対向する壁部が開閉可能に構成される。なお、トレイ部４１は、上壁を構成する第１壁部２１と対向する壁部を有さなくてもよい。
【００３０】
トレイ部４１は、例えば、一対の第２壁部２２と対向する一対の壁部の内面間の幅が、袋１００の幅と同じ幅、又は、若干大きく形成される。トレイ部４１は、筐体１１の背面側の開口から差し込まれ、そして、取り出されることで、筐体１１に着脱可能に構成される。また、トレイ部４１は、保持部４２で保持した袋１００を収容し、そして、袋１００を取り出し可能に正面側及び背面側が開口する。
【００３１】
保持部４２は、例えば、トレイ部４１に設けられる。図３に示すように、保持部４２は、例えば、積層した複数の袋１００を二つ折りにした折り返し部１５０を支持する軸５１と、積層した複数の袋１００の一端側を支持する支持板５２と、積層した複数の袋１００の吊り下げ部１１３を引っ掛けて保持する吊り部５３と、保持された袋１００の取り出し口３１に対する位置を調整する調整部材５４と、を備える。
【００３２】
軸５１は、例えば、第３壁部２３の取り出し口３１と対向して配置される。軸５１は、例えば、トレイ部４１に支持される。例えば、軸５１は、取り出し口３１に向かって移動可能にトレイ部４１に支持される。軸５１は、積層した複数の袋１００の二つ折りした本体部分１１１の折り返し部１５０が掛け回され、当該折り返し部１５０を内側から支持する。
【００３３】
支持板５２は、例えば、二つ折りした積層した複数の袋１００の底側を支持する。支持板５２は、トレイ部４１の筐体１１内に配置された状態における背面側の開口であって、且つ、軸５１よりも下方に配置される。支持板５２は、上面が底板となる第１壁部２１の主面に対して所定の角度に形成される。即ち、図３に示すように、支持板５２は、軸５１とともに、二つ折りした積層した複数の袋１００を支持することで、底壁となる第１壁部２１の主面に対して袋１００が所定の角度に傾斜させて積層した複数の袋１００を支持する。
【００３４】
吊り部５３は、二つ折りした積層した複数の袋１００の吊り下げ部１１３を保持する。例えば、吊り部５３は、トレイ部４１の上壁に設けられる。吊り部５３は、例えば、吊り下げ部１１３の孔１１３ａに挿入される筒状部５３ａと、孔１１３ａの内径よりも大径のフランジ５３ｂと、を有する。
【００３５】
吊り部５３は、筒状部５３ａを複数の袋１００の吊り下げ部１１３の孔１１３ａに挿入し、フランジ５３ｂで最内層の袋１００の吊り下げ部１１３を保持することで、二つ折りされた複数の袋１００の一端を保持する。なお、吊り部５３は、例えば、吊り下げ部１１３の孔１１３ａに挿入されるフックであってもよい。
【００３６】
調整部材５４は、例えば、軸５１を取り出し口３１に向かって一方向に押圧する付勢部材である。調整部材５４は、軸５１を取り出し口３１に向かって押圧することで、積層した複数の袋１００の残枚数が減少しても、最外層に位置する袋１００と取り出し口３１との位置関係を一定に保つ。調整部材５４は、例えば、軸５１を取り出し口３１に向かって押圧するコイルバネ等によって構成される。
【００３７】
このような保持部４２は、例えば、トレイ部４１上において、軸５１、支持板５２及び吊り部５３によって、二つ折りされた積層した複数の袋１００を３点支持し、取り出し口３１に対する位置を調整部材５４で調整する。
【００３８】
案内部４３は、トレイ部４１の軸５１よりもトレイ部４１の差し込み方向で先端側に設けられる。案内部４３は、トレイ部４１を筐体１１内に配置したときに、取り出し口３１及び軸５１の間に配置される。
【００３９】
案内部４３は、例えば、袋１００の幅方向に並んで配置された一対の小片４３ａにより構成される。例えば、一対の小片４３ａは、対向する幅が袋１００の幅と同じ幅から取り出し口３１の第２開口３１ｂの幅まで漸次減少して形成され、袋１００を取り出し口３１から取り出すときに、袋１００の幅方向の両端を取り出し口３１の第２開口３１ｂへ案内する。
【００４０】
次に、このように構成された袋収容ケース１の寸法関係の一例について図３を用いて説明する。
【００４１】
図３に示すように、底壁となる第１壁部２１の主面（トレイ部４１の底面）に対する軸５１及び支持板５２に支持された袋１００の傾斜角度をαとし、第１方向における第１傾斜部３２の角度をβとし、第１方向における第２傾斜部３３の角度をγとする。また、図３に示すように第１方向における第１傾斜部３２の幅をｈ１、第１方向における第２傾斜部３３の幅をｈ２とする。
【００４２】
袋収容ケース１の各寸法の関係は、
β≧α
ｈ１≧ｈ２
γ≧β
に設定される。
【００４３】
なお、より好ましくは、
β＞α
ｈ１＞ｈ２
γ＞β
に設定される。
【００４４】
このように構成された袋収容ケース１は、サイズが異なる袋１００を収容した複数の袋収容ケース１を、取り出し口３１を同じ方向に向けて重力方向に積層又は水平方向に並べて配置される。図４には、袋収容ケース１を重力方向に３つ積層して用いる例を示す。
【００４５】
また、例えば、袋収容ケース１は、取り出し口３１は、顧客側に向けられて配置される。また、例えば、袋収容ケース１は、セルフチェックアウト装置や会計装置に設けられるか、又は、セルフチェックアウト装置や会計装置を用いて購入した商品を袋詰めする場所に設置される。また、例えば、袋収容ケース１は、顧客の目線よりも下方に配置される。
【００４６】
このように構成された袋収容ケース１によれば、第３壁部２３の上方に位置する傾斜する第１傾斜部３２に取り出し口３１が設けられる。このため、袋収容ケース１は、第３壁部２３の上方に位置する傾斜する第１傾斜部３２に取り出し口３１が設けられる。
【００４７】
このため、顧客が袋収容ケース１を視認するときに、第１傾斜部３２が視線上に位置することになり、取り出し口３１の視認性が高い。よって、袋収容ケース１は、取り出し口３１及び取り出し口３１に存する袋１００の視認性が良好となる。
【００４８】
また、袋収容ケース１は、複数の袋収容ケース１を積層した場合であっても、上段側の袋収容ケース１の第２傾斜部３３が下方に配置された袋収容ケース１の第１傾斜部３２に向かって傾斜することになる。このため、下段の袋収容ケース１の第１傾斜部３２及び第１傾斜部３２に設けられた取り出し口３１が、斜め上方に露出する。よって、上段側の第２傾斜部３３が下段側の第１傾斜部３２の斜め上方から退避する形となり、図５中矢印で示すように、下段側の第１傾斜部３２が視線上に位置することから、取り出し口３１の視認性が良い。複数の袋収容ケース１を積層した場合であっても、袋収容ケース１は、取り出し口３１及び取り出し口３１に存する袋１００の視認することが可能となる。
【００４９】
加えて、同様に、下段の取り出し口３１の袋１００へのアクセスが良好になり、袋収容ケース１を積層した場合であっても、取り出し口３１から袋１００を容易に取り出すことができる。
【００５０】
また、袋収容ケース１は、筐体１１の背面側を開口させるとともに、当該開口から筐体１１内に差し込まれるトレイ部４１の背面側も開口させることで、図２に示すように、背面側からも袋１００を取り出すことができる。このため、例えば、袋収容ケース１は、顧客が正面側の第３壁部２３の取り出し口３１から、店員が背面側のトレイ部４１の開口から袋１００を取り出す構成でもよい。
【００５１】
上述したように本実施形態に係る袋収容ケース１によれば、第１傾斜部３２に取り出し口３１を設け、第１傾斜部３２及び第２傾斜部３３を異なる方向に傾斜させることで、収容した袋１００の視認性が良好となる。
【００５２】
なお、袋収容ケース１は上記実施形態に限定されない。例えば、図６乃至図８に示す変形例に係る袋収容ケース１に示すように、取り出し口３１は、袋１００の折り返し部１５０以外の部位と対向する構成としてもよい。例えば、袋収容ケース１は、軸５１をトレイ部４１の背面側に配置し、取り出し口３１Ａを第１傾斜部３２及び第２傾斜部３３に渡って設ける構成であってもよい。このような構成において、取り出し口３１Ａは、例えば、第１傾斜部３２の第１方向で中央側から第２傾斜部３３の第１方向で下端側までの範囲に設けられる。このような構成の袋収容ケース１は、例えば、袋１００の底側が取り出し口３１Ａ側に対向する。
【００５３】
このような袋収容ケース１であっても、図８に示すように、積層したときに、上段側の袋収容ケース１の第２傾斜部３３が下段側の袋収容ケース１の第１傾斜部３２の斜め上方から退避する形となり、また、取り出し口３１Ａが第２傾斜部３３だけでなく第１傾斜部３２の一部にも設けられることから、袋１００の視認性が良好となる。
【００５４】
また、袋収容ケース１は、筐体１１の正面側に取り出し口３１を有する第３壁部２３を設け、筐体１１の背面側の開口を覆うように、筐体１１の背面側に取り出し口３１Ａを有する第３壁部２３を設ける構成であってもよい。このような構成とすることで、袋収容ケース１の正面側及び背面側の双方において、袋１００の視認性が良好となり、二方向から袋１００を取り出すことが容易となる。また、図７に示すように、トレイ部４１は、背面側が閉塞する構成であってもよい。このような構成とすることで、袋収容ケース１は、背面側から袋１００を取り出すことができないが、背面側の開口が覆われるため、意匠性が向上するとともに、内部に埃等が侵入すること防止できる。
【００５５】
また、上述した例では、第３壁部２３は、筐体１１の外方に突出するように傾斜する例を説明したがこれに限定されず、筐体１１の内包に突出するように傾斜する構成としてもよい。このような構成の場合には、第２傾斜部３３に取り出し口３１を設けることで、袋１００の視認性を良好とすることができる。
【００５６】
以上述べた少なくともひとつの実施形態の袋収容ケースによれば、異なる方向に傾斜する二つの傾斜部を有する壁部に取り出し口を設けることで、袋の視認性が良好となる。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１…袋収容ケース、１１…筐体、１２…保持具、２１…第１壁部、２２…第２壁部、２３…第３壁部、３１…取り出し口、３１ａ…第１開口、３１ｂ…第２開口、３２…第１傾斜部、３３…第２傾斜部、４１…トレイ部、４２…保持部、４３…案内部、４３ａ…小片、５１…軸、５２…支持板、５３…吊り部、５３ａ…筒状部、５３ｂ…フランジ、５４…調整部材、１００…袋、１１１…本体部分、１１２…持ち手、１１３…吊り下げ部、１１３ａ…孔、１５０…折り返し部。
【図１】
2020202948.tif 000003
【図２】
2020202948.tif 000004
【図３】
2020202948.tif 000005
【図４】
2020202948.tif 000006
【図５】
2020202948.tif 000007
【図６】
2020202948.tif 000008
【図７】
2020202948.tif 000009
【図８】
2020202948.tif 000010